(57)【要約】【課題】異なる２種類の照射部の光源を一つの光源ユニットで実現することができる照明装置を提供する。【解決手段】照明装置１は、人を検知する検知部と、前記検知部の検知信号に基づいて発光する光源ユニット３０と、前記光源ユニット３０で発光された光を外部へ照射する第１照射部１１１と、前記光源ユニット３０で発光された光を前記第１照射部１１１の光照射方向と異なる光照射方向に外部へ照射する第２照射部１２１と、被設置面に設置される筐体１０であって、前記第１照射部１１１が設けられる第１面と、前記第２照射部１２１が設けられる第２面１２と、を有し、前記検知部が設けられ、かつ内部に前記光源ユニット３０が配置される筺体１０とを備え、前記第２照射部１２１の面積は、前記第１照射部１１１の面積よりも小さい。【選択図】図１
2016181440.tif 000002
【特許請求の範囲】
【請求項１】
人を検知する検知部と、
前記検知部の検知信号に基づいて発光する光源ユニットと、
前記光源ユニットで発光された光を外部へ照射する第１照射部と、
前記光源ユニットで発光された光を前記第１照射部の光照射方向と異なる光照射方向に外部へ照射する第２照射部と、
被設置面に設置される筐体であって、前記第１照射部が設けられる第１面と前記第２照射部が設けられる第２面とを有し、前記検知部が設けられかつ内部に前記光源ユニットが配置される筺体と、を備え、
前記第２照射部の面積は、前記第１照射部の面積よりも小さい、照明装置。
【請求項２】
前記筺体は横長形状であり、
前記第１照射部は、前記筐体の長手方向に沿って形成される開口部に設けられ、
前記第２照射部は、前記筐体の長手方向に沿って形成される開口部に設けられる、請求項１に記載の照明装置。
【請求項３】
前記検知部は、前記筺体の長手方向の両端部のそれぞれに設けられる、請求項２に記載の照明装置。
【請求項４】
照明装置を鉛直面に設置した場合に、前記第１照射部が鉛直下側を向き、前記第２照射部が前記鉛直面と反対方向の水平側を向く構成である、請求項１〜３のいずれか１項に記載の照明装置。
【請求項５】
前記第１照射部、前記第２照射部および前記検知部のカバー部は、一体の透光部材で構成される、請求項１〜４のいずれか１項に記載の照明装置。
【請求項６】
長手方向に沿って電池を直列に配置する電池収納部が前記筐体の内部に設けられ、当該電池収納部の外面が前記光源ユニットから出る光を反射する反射部を構成する、請求項２〜５のいずれか１項に記載の照明装置。
【請求項７】
前記電池収納部の外カバーは、電池収納部内面側に立設する複数の第１補強リブと、前記第１補強リブよりも高く立設する第２補強リブが形成される、請求項１〜６のいずれか１項に記載の照明装置。
【発明の詳細な説明】
【技術分野】
【０００１】
本発明は、照明装置に関し、例えば、足元用照明装置、通路に設置される照明装置に関する。
【背景技術】
【０００２】
人感センサと主照明（放電灯）と視線誘導灯（ＬＥＤランプ）とを備え、人が感知されていない場合に主照明を消灯し、視線誘導灯を点灯させ、人が感知されている場合に主照明を点灯させる照明器具がある（例えば、特許文献１参照）。
【先行技術文献】
【特許文献】
【０００３】
【特許文献１】特開２００７−３５３８２号公報
【発明の概要】
【発明が解決しようとする課題】
【０００４】
上記特許文献１の照明器具は、主照明（放電灯）と視線誘導灯（ＬＥＤランプ）と人感センサとが設けられているもので、壁面から突出して取り付けられる。また、この照明器具において、主照明は人感センサにより人が感知されているときに点灯して人が感知されていないときに消灯し、視線誘導灯は常時又は所定時間帯に点灯するので、主照明と視線誘導灯とにそれぞれ異なる光源を利用することが必要となってしまう。
【０００５】
本発明は、上記の課題に鑑みてなされたものであり、異なる２種類の照射部の光源を一つの光源ユニットで実現することができる照明装置を提供することを目的とする。
【課題を解決するための手段】
【０００６】
本発明の照明装置は、人を検知する検知部と、
前記検知部の検知信号に基づいて発光する光源ユニットと、
前記光源ユニットで発光された光を外部へ照射する第１照射部と、
前記光源ユニットで発光された光を前記第１照射部の光照射方向と異なる光照射方向に外部へ照射する第２照射部と、
被設置面に設置される筐体であって、前記第１照射部が設けられる第１面と前記第２照射部が設けられる第２面とを有し、前記検知部が設けられかつ内部に前記光源ユニットが配置される筺体と、を備え、
前記第２照射部の面積は、前記第１照射部の面積よりも小さい構成である。
【０００７】
この構成によれば、一つの光源ユニットから発光された光を第１照射部と第２照射部から外部へ照射することができる。第２照明部の面積より大きい面積の第１照射部は、例えば主照明であり、第２照射部は例えば照明装置の突出先端位置を示す表示部（マーカー）である。
【０００８】
上記発明の一実施形態として、照明装置を鉛直面に設置した際に、第２面が鉛直面から最も突出した面（遠位面）である構成が好ましい。
【０００９】
この構成によれば、照明装置の突出先端位置を正確に示すことができるため、通行者が照明装置に接触することを効果的に防止できる。
【００１０】
上記発明の一実施形態として、前記筺体は横長形状であり、前記第１照射部は、前記筐体の前記第１面の長手方向に沿って形成される開口部に設けられ、前記第２照射部は、前記筐体の前記第２面の長手方向に沿って形成される開口部に設けられる構成である。
【００１１】
この構成によれば、第１照射部によって通路長手方向に沿った広範囲の光照射ができる。第２照射部によって、横長形状の筐体を正確に示すことができる。
【００１２】
上記発明の一実施形態として、前記筺体の外観形状は、例えば、矩形状、円筒状、部分円筒状、異形状、円弧状、半円盤状などである。
【００１３】
上記発明の一実施形態として、前記検知部は、前記筺体の長手方向の両端部のそれぞれに設けられることが好ましい。
【００１４】
この構成によれば、検知部が長手方向の一方端部とその他方端部にそれぞれ設けられることで、両方向のそれぞれから近づく人または遠ざかる人をそれぞれ検知できる。
【００１５】
上記発明の一実施形態として、照明装置を鉛直面に設置した場合に、前記第１照射部が鉛直下側を向き、前記第２照射部が前記鉛直面と反対方向の水平側を向く構成である。
【００１６】
この構成によれば、第１照射部が通路下側を照射する主照明として機能し、第２照射部が照明装置本体の突出面の位置を示すマーカーとして機能する。
【００１７】
上記発明の一実施形態として、前記第１照射部、前記第２照射部および前記検知部のカバー部は、一体の透光部材で構成される。
【００１８】
この構成によれば、一体の透光部材で構成されることで組み立て作業が簡単になり、また部品点数を減らすことができる。
【００１９】
上記発明の一実施形態として、長手方向に沿って電池を直列に配置する電池収納部が前記筐体の内部に設けられ、当該電池収納部の外面が前記光源ユニットから出る光を反射する反射部を構成する。反射部の構成としては、例えば、電池収納部が白着色（反射剤配合）の成形品でもよく、電池収納部の外面にアルミ蒸着が施され、または反射剤が塗布されていてもよい。
【００２０】
この構成によれば、電池収納部が反射部を兼用するため、別に反射部を設置する必要がなく、筐体内部容積を小さくできるので、照明装置を薄型にできる。すなわち、壁面からの出っ張りを小さくできるので、通行人が照明装置に接触することを低減できる。
【００２１】
上記発明の一実施形態として、照明装置の取付面を水平に置いたときに、光源ユニットからの発光の主照射上に電池収納部が配置されないことが好ましい。また、光源ユニットからの発光の主照射方向に、第１照射部があることが好ましい。また、電池収納部に対向する位置に第２照射部があることが好ましい。
【００２２】
上記発明の一実施形態として、前記電池収納部の外カバーは、電池収納部内面側に立設する複数の第１補強リブと、前記第１補強リブよりも高く立設する第２補強リブが形成される構成である。第２補強リブは、断面矩形であることが好ましい。第２補強リブの先端形状は、それと当接する電池形状に合わせた形状（例えば、点、線、面で接触する形状）であることが好ましい。
【００２３】
この構成によれば、第２補強リブは、電池の外れを防止し、かつ外カバーが経時的に反ることを第１補強リブと共に防止する。また、外カバーに第２補強リブを設けることで電池押え部品（弾性体など）を無くししつつ、装置のコンパクト設計が可能になる。
【００２４】
上記発明の一実施形態として、照明装置の電源としては、例えば、円筒状の乾電池、ボタン電池が挙げられる。
【００２５】
上記発明の一実施形態として、光源ユニットは、例えば、単一または複数の点光源、単一または複数の面光源、それらの組み合せで構成される。点光源としては、例えばＬＥＤ発光素子が挙げられる。ＬＥＤとしては、例えばシングルチップの砲弾型と表面実装型、マルチチップの表面実装型が挙げられる。
【００２６】
上記発明の一実施形態として、検知部は、各種センサであり、例えば、光センサ、温感センサ、赤外線センサなどの人感センサや、ドップラセンサ、超音波センサなどのモーションセンサが挙げられる。検知部は１つでもよく複数でもよい。
【００２７】
上記発明の一実施形態として、筐体内に他の照明装置として必要な要素、例えば、光源ユニット基板、電源回路基板、センサ回路基板が収納される。
【００２８】
上記発明の一実施形態として、照明装置は、少なくとも第１、第２照射部が外部に配置されるように壁に埋め込まれて設置する埋込型、取付手段を用いて被取付部（例えば壁）に設置する非埋込設置型がある。取付手段としては、例えば、接着剤、接着テープ、着脱可能な粘着テープ、被取付面に対しネジ固定、被取付面に設置された被係合部（例えば釘、ネジ穴）に係合する係合部（例えば釘穴、フック、ボルト）などが挙げられる。本発明は、既存の通路（例えば廊下、階段、外壁）等でも後から簡単に設置できることから、非埋込設置型が好ましい。
【００２９】
上記発明の一実施形態として、照明装置は、矩形状、外形が半円柱形状、錘台形状などが挙げられる。矩形状の照明装置は、筐体内に構成要素を収納しつつ、薄く構成できるので好ましい。
【図面の簡単な説明】
【００３０】
【図１】実施形態１の照明装置の外観斜視図である。
【図２Ａ】図１の正面図である。
【図２Ｂ】図１の右側面図である。
【図３】図２ＡのＢ−Ｂ断面図である。
【図４】筐体内を底面から透視した透視底面図である。
【図５】電池収納部の外カバーを示す斜視図である。
【図６】別実施形態の筐体形状について説明する図である。
【図７】別実施形態の筐体形状について説明する図である。
【図８】別実施形態の筐体形状について説明する図である。
【図９】別実施形態の筐体形状について説明する図である。
【発明を実施するための形態】
【００３１】
（実施形態１）
実施形態１の照明装置１について図面を参照しながら説明する。図１は照明装置１の斜視図、図２Ａは正面図、図２Ｂは右側面図である。
【００３２】
（筐体）
筐体１０は、横長形状であり、被設置面（例えば廊下の壁）に対し横長に設置される。筐体１０は、第１照射部１１１が設けられる第１面１１と、第２照射部１２１が設けられる第２面１２とを有する。第１照射部１１１は、筐体１０の第１面１１の長手方向に沿って形成される開口部に設けられる。本実施形態では第１面１１の全体に開口部が形成されている。照明装置１を鉛直面に設置した場合に、第１照射部１１１が鉛直下側を向く構成である。第２照射部１２１は、筐体１０の第２面１２の長手方向に沿って形成される開口部に設けられる。照明装置１を鉛直面に設置した場合に、第２照射部１２１が鉛直面と反対方向の水平側を向く構成であり、第２面１２は、照明装置１を鉛直面に設置した際に、鉛直面から最も遠位の面になる。
【００３３】
また、筐体１０は、その横長長手方向の一方側面（左側面）に位置する第３面１５と、その他方側面（右側面）に位置する第４面１６を有する。第３面１５、第４面１６は、それぞれ、第２面１２に対し９０度未満の傾斜角度で延設されている。第３面１５に第１人感センサ４１のセンサカバー（透光部材２１）が突出し、第４面１６に第２人感センサ４２のセンサカバー（透光部材２１）が突出するように設けられている。
【００３４】
図３のＢ−Ｂ断面図に示すとおり、第１照射部１１１、第２照射部１２１および第１、第２人感センサ４１、４２のセンサカバーは、一体成型の透光性部材２１で構成されている。
【００３５】
筐体１０は、基板フォルダ１３と係合して一体化される。基板フォルダ１３には、光源ユニット３０の基板、電源基板、センサ駆動回路基板、電池収納部３２などが実装される。基板フォルダ１３の底面側に、取付プレート１４が着脱自在に係合される。取付プレート１４の底面には壁設置後に落下を防止する落下防止プレートなどがネジ止めされる。取付プレート１４には、両面接着シートが貼られて、両面接着シートによって壁に接着固定される。
【００３６】
（人感センサ）
第１、第２人感センサ４１、４２は、人の動きを検知するモーションセンサである。通路に照明装置１を設置する場合には、通路に沿った方向にセンサ検知エリアが設定されるように、第３面１５、第４面１６の傾斜角度を設定し、かつ第１、第２人感センサ４１、４２の中心検知角度を設定する。
【００３７】
（光源ユニット）
筐体１０内部には、光源ユニット３０が配置される。光源ユニット３０には、複数のＬＥＤ発光素子３１が実装されている。第１人感センサ４１、第２人感センサ４２の検知信号に基づいて、電源ユニット（不図示）から直流電流が光源ユニット３０へ供給されて、ＬＥＤ駆動回路がＬＥＤ発光素子３１を点灯させる。図３に示す通り、光源ユニット３０からの発光の主照射方向に、第１照射部１１１が配置されている。図３、図４に示す通り、光源ユニット３０の基板は、基板ホルダ１３に対し立設配置されており、複数のＬＥＤ発光素子３１が基板長手方向に１列に配置されている。
【００３８】
（電池収納部）
図４に示す通り、筐体１０の長手方向に沿って電池３６を直列に３本配置する電池収納部３２が筐体１０の内部に設けられる。電池収納部３２は、白着色（反射剤配合）の成形品で構成されており、電池収納部３２の外面３２１は、光源ユニット３０から出る光を反射する反射部を構成している。照明装置１の取付面（底面）を水平に置いたときに、光源ユニット３０からの発光の主照射上から離れた位置であって光照射幅の一方側に照射幅を規制するように電池収納部３２が配置されている。このため、光源ユニット３０から出る光を第１照射部１１１に向かって効率的に照射できる。また、電池収納部３２に対向する位置に第２照射部１２１が配置される。電池収納部３２の外面３２１の反射部の機能によって、第２照射部１２１へ光を照射できる。
【００３９】
（電池収納部の外カバー）
電池収納部３２の外カバー５０は、電池収納部３２内面側に立設する複数の第１補強リブ５１と、第１補強リブ５１よりも高く立設する第２補強リブ５２が形成されている。図５に示すとおり、第１補強リブ５１は、カバー本体の長手方向に平行なライン上のリブと、矩形状のリブで構成されている。第２補強リブ５２は、カバー本体の略中央に配置され、断面矩形であり、それと当接する電池３６形状に合わせて複数の線接触をする先端形状５２１を有する。電池収納部３２と外カバー５０は、不図示の係合片によって係合する構成である。
【００４０】
（別実施形態の筐体形状）
図６〜９は、筐体の別実施形態を示す。図６の筐体６０は、横長形状であって、第２面６１の両端６１ａ、６１ｂが平面視で曲線形状であり、実施形態１において傾斜した第３面６２と第４面６３が本実施形態では第２面６１に連続した円弧状に形成されている（図６（ａ）の平面図、図６（ｂ）正面図を参照）。また、図６（ｃ）の側面視で筐体６０の外観は矩形状である。
【００４１】
図７の筐体７０は、横長形状であって、第２面７１の両端７１ａ、７１ｂが平面視で曲線形状であり、実施形態１において傾斜した第３面７２と第４面７３が本実施形態では第２面７１に連続した円弧状に形成されている（図７（ａ）の平面図、図７（ｂ）正面図を参照）。また、図７（ｃ）の側面視で筐体７０の外観は、第２面７１の上部７１ｃ、下部７１ｄで円弧状に丸み形成されている。
【００４２】
図８の筐体８０は、横長形状であって、第２面８１の両端８１ａ、８１ｂが平面視で曲線形状であり、実施形態１において傾斜した第３面８２と第４面８３が本実施形態では第２面８１に連続した円弧状に形成されている（図８（ａ）の平面図、図８（ｂ）正面図を参照）。また、図８（ｃ）の側面視で筐体８０の外観は、第２面８１の上部８１ｃで円弧状に丸み形成されており、第２面８１の下部８１ｄは略直角に形成されている。
【００４３】
図９の筐体９０は、図９（ａ）の平面視でホームベース状（五角形状）であり、図９（ｂ）の正面視で矩形状、図９（ｃ）の側面視で第２面９１の上部９１ｃで円弧状に丸み形成されている。第２面９１は被取付面と反対方向に突出する突出部を形成している。第３面９２と第４面９３は、第２面９１の傾斜面から連続して延設されている。
【符号の説明】
【００４４】
１      照明装置
１０    筐体
１１    第１面
１２    第２面
１３    基板フォルダ
１４    取付プレート
１５    第３面
１６    第４面
２１    透光性部材
３０    光源ユニット
３１    ＬＥＤ発光素子
３２    電池収納部
３６    乾電池
４１    第１人感センサ
４２    第２人感センサ
５０    外カバー
５１    第１補助リブ
５２    第２補助リブ
１１１  第１照射部
１２１  第２照射部
３２１  電池収納部の外面
【図１】
2016181440.tif 000003
【図２Ａ】
2016181440.tif 000004
【図２Ｂ】
2016181440.tif 000005
【図３】
2016181440.tif 000006
【図４】
2016181440.tif 000007
【図５】
2016181440.tif 000008
【図６】
2016181440.tif 000009
【図７】
2016181440.tif 000010
【図８】
2016181440.tif 000011
【図９】
2016181440.tif 000012